(57)【要約】【課題】血糖値センサなどの吸湿を嫌う板状製品を収容するための容器であって、その取り出しを容易に行うことができ、しかも、乾燥性の持続性に優れ、長期間にわたって板状製品の吸湿を有効に防止することが可能な容器を提供する。【解決手段】上端が開放された開口部となっており且つ下端が底壁５によって閉じられている筒状空間Ａを有する筒状胴体１と、筒状空間Ａの開口部を閉じるように設けられている蓋体３とから構成されており、筒状空間Ａには、互いに同じ大きさを有する複数枚の板状製品５０が収容される板状製品収容用容器において、底壁５の筒状空間側の表面は、乾燥剤が樹脂中に分散された吸湿性樹脂によって形成された吸湿面２３ａとなっており、吸湿面２３ａは、下方から上方に向かって傾斜して延びており、複数枚の板状製品５０は、上方部分が前記開口部から突出し且つその上端が底壁５の吸湿面２３ａと平行な傾斜面を形成するように、吸湿面２３ａにより支持されて収容されることを特徴とする。【選択図】図１
2010173674.tif 000002
【特許請求の範囲】
【請求項１】
上端が開放された開口部となっており且つ下端が底壁によって閉じられている筒状空間を有する筒状胴体と、該筒状空間の開口部を閉じるように設けられている蓋体とから構成されており、該筒状空間には、互いに同じ大きさを有する複数枚の板状製品が収容される板状製品収容用容器において、
前記底壁の筒状空間側の表面は、乾燥剤が樹脂中に分散された吸湿性樹脂によって形成された吸湿面となっており、該吸湿面は、下方から上方に向かって傾斜して延びており、
前記複数枚の板状製品は、上方部分が前記開口部から突出し且つその上端が前記底壁の吸湿面と平行な傾斜面を形成するように、該吸湿面により支持されて収容されることを特徴とする板状製品収容用容器。
【請求項２】
前記底壁は、下方から上方に向かって傾斜して延びている底壁基板と、該底壁基板の筒状空間側の傾斜面上に形成された前記吸湿性樹脂の層とから形成されている請求項１に記載の板状製品収容用容器。
【請求項３】
前記吸湿性樹脂の層が、前記筒状胴体の内面にまで延びている請求項２に記載の板状製品収容用容器。
【請求項４】
前記蓋体が、前記筒状胴体の上端にヒンジ連結されており、該ヒンジ連結部が、前記底壁の最上部の上方に位置している請求項１乃至３の何れかに記載の板状製品収容容器。
【発明の詳細な説明】
【技術分野】
【０００１】
本発明は、血糖値センサや尿試験紙などの板状製品を収容する容器に関するものであり、より詳細には、板状製品の吸湿を防ぐ乾燥性を有する板状製品収容容器に関するものである。
【背景技術】
【０００２】
従来、血糖値センサや尿試験紙などの板状の製品は、吸湿により変質して性能低下を生じるため、乾燥性を有する容器に収容されて保存される。
このような乾燥性を有する容器として、筒状胴部と底部とを有する容器本体と、該容器本体の上部にヒンジ連結された蓋体とからなり、底部に乾燥剤含有プラスチックからなる挿入板がはめ込まれている容器が知られている（特許文献１参照）。
【先行技術文献】
【特許文献】
【０００３】
【特許文献１】特開平９−１２０６４号公報
【発明の概要】
【発明が解決しようとする課題】
【０００４】
しかしながら、上記のような容器に、血糖値センサに代表される板状製品を収容して保存した場合、これを取り出すとき、容器を振ったり、或いは蓋を開放した後に指を容器内に挿入することが必要であり、その取出しが極めて面倒であるという問題があった。また、容器内からの取り出しが面倒であるため、蓋を開放している時間が長くなり、この結果、乾燥剤の消耗が速くなり、血糖値センサなどの吸湿を嫌う製品を長時間保存しておくことが困難であるという問題を有しており、従って、吸湿を嫌う板状製品を収容する容器として、その乾燥性の向上などが求められている。
【０００５】
従って、本発明の目的は、血糖値センサなどの吸湿を嫌う板状製品を収容するための容器であって、その取り出しを容易に行うことができ、しかも、乾燥性の持続性に優れ、長期間にわたって板状製品の吸湿を有効に防止することが可能な容器を提供することにある。
【課題を解決するための手段】
【０００６】
本発明によれば、上端が開放された開口部となっており且つ下端が底壁によって閉じられている筒状空間を有する筒状胴体と、該筒状空間の開口部を閉じるように設けられている蓋体とから構成されており、該筒状空間には、互いに同じ大きさを有する複数枚の板状製品が収容される板状製品収容用容器において、
前記底壁の筒状空間側の表面は、乾燥剤が樹脂中に分散された吸湿性樹脂によって形成された吸湿面となっており、該吸湿面は、下方から上方に向かって傾斜して延びており、
前記複数枚の板状製品は、上方部分が前記開口部から突出し且つその上端が前記底壁の吸湿面と平行な傾斜面を形成するように、該吸湿面により支持されて収容されることを特徴とする板状製品収容用容器が提供される。
【０００７】
本発明の容器においては、
（１）前記底壁は、下方から上方に向かって傾斜して延びている底壁基板と、該底壁基板の筒状空間側の傾斜面上に形成された前記吸湿性樹脂の層とから形成されていること、
（２）前記吸湿性樹脂の層が、前記筒状胴体の内面にまで延びていること、
（３）前記蓋体が、前記筒状胴体の上端にヒンジ連結されており、該ヒンジ連結部が、前記底壁の最上部の上方に位置していること、
が好ましい。
【発明の効果】
【０００８】
本発明の容器においては、板状製品が収容される筒状空間を閉じている底壁の筒状空間側の面が傾斜面となっており、この傾斜面上に複数枚の板状製品（即ち、板状製品の束）が支持されて収容される。このようにして筒状空間内に収容されている板状製品の束は、その上面が筒状空間の開口部から突出し、且つ底壁の傾斜面と平行な傾斜面を形成している。従って、この板状製品の上面の傾斜面から、板状製品を一枚ずつ引き抜くことにより、板状製品を容易に取り出すことができる。
【０００９】
また、本発明の容器では、上記のような底壁の傾斜面が、乾燥剤が樹脂中に分散された吸湿性樹脂から形成されており、この傾斜面が吸湿面となっている。即ち、吸湿面が傾斜面となっているため、水平面が吸湿面となっている場合と比較すると、吸湿面が大面積となっており、この結果、高い吸湿作用を示し、乾燥能力が高い。しかも、蓋体を開封して板状製品を取り出す作業を容易に行うことができるため、板状製品を取り出すために蓋体を開放している時間が短縮されているため、乾燥剤の消耗が効果的に抑制され、高い乾燥能力を持続して維持することができる。
【００１０】
従って、本発明の容器は、吸湿を嫌う血糖値センサなどの板状製品を、長期間にわたって乾燥状態に保持し、吸湿による性能低下を効果的に防止することができる。
【図面の簡単な説明】
【００１１】
【図１】本発明の容器の側断面を、蓋体を開放し且つ板状製品を収容した状態で示す図である。
【図２】図１の容器の蓋体を開放した状態での上面図である。
【図３】図１の容器の蓋体を開放した状態での側面図である。
【図４】図１の容器の蓋体を閉じた状態での側面図である。
【図５】本発明の容器の他の例の側断面を、蓋体を開放し且つ板状製品を収容した状態で示す図である。
【発明を実施するための形態】
【００１２】
本発明の容器の好適例を示す図１乃至図４を参照して、この容器は、大まかに言って、筒状胴体１と、筒状胴体１の上部にヒンジ連結された蓋体３とからなっており、筒状胴体１の内部の筒状空間Ａは、底壁５によって閉じられており、この筒状空間Ａ内に、５０で示す板状製品が収容されるように構成されている。
【００１３】
筒状胴体１の上端面には、蓋体３を閉じた状態で係止するための周状突起７が形成されている。
【００１４】
また、蓋体３は、頂板部１０と、頂板部１０の周縁から延びているスカート１１とを備えており、スカート１１は、図２に示されているように、中央バンド１３と、その周方向両側に位置する２つの補助バンド１５，１５により、筒状胴体１の上方部分にヒンジ連結されており、蓋体３を旋回して閉じることにより、筒状空間Ａが閉じられ、筒状空間Ａに収容された板状製品５０が密封されて保持されるようになっている。尚、中央バンド１３は、筒状胴体１の上端部分に接合されており、補助バンド１５，１５は、中央バンド１３よりも低い位置で、筒状胴体１の外面に連結されている。このようなバンドによってヒンジ連結することにより、蓋体３を開けたときに、開放状態が安定に保持される。
【００１５】
また、スカート１１の下端（図１では上端となっている）の内面には、凹部１７が周状に形成されており、蓋体３を閉じた時に、この凹部１７が筒状胴体１の周状突起７と係合することにより、蓋体３が閉じられた状態で安定に保持される。
【００１６】
さらに、スカート１１の下端のヒンジ連結部とは反対側の部分には、開封用の鍔１９が形成されており、この鍔１９の裏面（下端面）には、偏平状の凸部２０が形成されている。図４に示されているように、蓋体３が閉じられている状態では、この鍔１９の裏面の凸部２０に指を引っ掛け、蓋体３を上方に引き上げることにより、蓋体３を容易に開放することができる。
【００１７】
上述した構造を有する本発明の容器においては、特に図１に示されているように、底壁５が、筒状胴体１と一体に連なっている底壁基板２１と、底壁基板２１の筒状空間Ａ側の面に設けられた吸湿性樹脂層２３とから形成されている。即ち、底壁５は、筒状胴体１や蓋体３を形成している熱可塑性樹脂、例えば、低−、中−または高密度ポリエチレン、線状低密度ポリエチレン、ポリプロピレン、熱可塑性ポリエステル、ポリアミド、スチレン系樹脂、ＡＢＳ樹脂等から形成され、吸湿性樹脂層２３は、このような熱可塑性樹脂に乾燥剤を分散させた吸湿性樹脂から形成されている層である。
【００１８】
上記のような吸湿性樹脂において、乾燥剤としては、例えばシリカゲル、各種のゼオライト、スメクタイトなどの粘土鉱物を酸処理して多孔質化し且つ比表面積を増大した活性白土、活性炭などの多孔質無機粉末などが使用され、通常、このような乾燥剤は、樹脂１００重量部当り４０乃至６０重量部程度の量で分散されている。
【００１９】
本発明においては、上記のような底壁５は、傾斜していることが重要であり、具体的には、図１から理解されるように、底壁基板２１が下端から上方に向かって傾斜して延びており、その筒状空間Ａ側の傾斜面上に吸湿樹脂層２３が形成されており、従って、吸湿性樹脂層２３の表面は、傾斜面となっており、この傾斜面が吸湿面２３ａとなっている。即ち、このような吸湿面２３ａから筒状空間Ａ内の吸湿が行われ、この内部に収容されており蓋体３によって密封状態に保持されている板状製品５０が乾燥状態に保持され、板状製品５０の吸湿が防止される。
【００２０】
上記のような構造によれば、底壁５が水平状態に保持され、吸湿面２３ａが水平面となっている場合と比較すると、吸湿面２３ａが大面積化しており、従って、吸湿性（乾燥能力）が増大していることが理解されよう。
【００２１】
また、本発明においては、上記のような底壁５の吸湿面２３ａ上に多数の板状製品５０、即ち、板状製品５０の束が立設して収容されるが、図１及び図３から理解されるように、筒状空間Ａに収容され、吸湿面２３ａに保持されている板状製品５０の束は、その上部が筒状空間Ａの開口部（図１において３０で示す）から突出していることが重要である。即ち、このような板状製品５０の上端は、筒状空間Ａの開口部から突出し、且つ傾斜している吸湿面２３ａと平行な傾斜面５１を形成している。このため、蓋体３を開封したとき、指を筒状空間Ａ内に入れることなく、最も突出している板状製品５０を容易に引き出すことができ、１枚の板状製品５０を取り出した後は、直ちに蓋体３を閉じることにより、残りの板状製品５０は、再び密封状態に保持され、吸湿面２３ａからの吸湿により、乾燥状態に保持されることとなる。
【００２２】
即ち、本発明では、筒状空間Ａ内に収容されている板状製品５０を容易に取り出すことができるため、板状製品５０の取り出しのために蓋体３を開放している時間を短くすることができ、吸湿面２３ａからの吸湿作用を長期にわたって発現させることが可能となる。即ち、蓋体３を開放していると、外部から湿分を含む大気が容器内に入り込むため、蓋体３を開放している時間が長くなるほど、吸湿性樹脂層２３内に分散されている乾燥剤が吸湿して消耗してしまうが、本発明では、蓋体３の開放時間が短縮されているため、長期にわたって吸湿面２３ａからの吸湿が効果的に行われ、板状製品５０の取り出し操作を繰り返し行った場合にも、収容されている板状製品５０を長期間にわたって乾燥状態に維持することが可能となる。
【００２３】
本発明において、上述した吸湿面２３ａの角度θ（板状製品５０の束の上端が形成する傾斜面５１の傾斜角θに相当）は、収容されている板状製品５０の束の上部の全体が開口部３０から適度な高さで突出し、当該板状製品５０を一枚ずつ容易に引き出せるような大きさであればよい。その具体的な値は、板状製品５０の厚みや容器内に収容する板状製品５０の最大枚数などによっても異なり、一概に規定することはできないが、例えば一般に使用されている血糖値センサなどを板状製品として収容する場合には、通常、１５乃至４５度程度の角度とするのがよい。
【００２４】
また、図１及び図３から理解されるように、蓋体３のヒンジ連結部（特に中央バンド１３）が、傾斜している底壁５の最上部５ａの上方に位置するように構成されているのがよい。即ち、ヒンジ連結部が反対側に位置していると、蓋体３を閉じるときに、筒状空間Ａから突出している板状製品５０の上方部分が邪魔となり、蓋体３を完全に閉じることが困難となってしまうおそれがあるからである。
【００２５】
尚、上記のような構造の容器は、吸湿性樹脂を用いての射出成形により吸湿性樹脂層２３を形成し、次いで、この吸湿性樹脂層２３を用いて、底壁基板２１を備えた筒状胴体１と蓋体３とを射出成形により一体的に成形するという２色成形によって製造することができる。
【００２６】
また、吸湿性樹脂層２３に対応する形状を有する吸湿性樹脂の板を押出成形等により形成し、さらに、底壁基板２１を備えた筒状胴体１と蓋体３とを別個に成形し、吸湿性樹脂の板を、底壁基板２１上に密着するようにして嵌め込むことにより、吸湿性樹脂層２３を備えた容器を製造することも可能である。
【００２７】
また、底壁５を、吸湿性樹脂のみにより形成することも可能であるが、この場合には、底壁５の裏面（筒状空間Ａとは反対側の面）が常時、大気と接触するため、吸湿性樹脂中の乾燥剤の消耗が早くなってしまう。従って、底壁基板２１の筒状空間Ａ側の面にのみ、吸湿性樹脂層２３を形成することが好適である。
【００２８】
また、筒状胴体１の底壁５よりも下方に突出している足部１ａは、本質的には不要な部分であるが、このような足部１ａを形成し、筒状胴体１の下端が水平面を形成するような構造とすることが、容器の安定化などの観点から好適である。
【００２９】
さらに、本発明では、上記のような吸湿性樹脂層２３は、筒状胴体１の内面にまで延びていてもよい。このような容器の構造は、図５に示されている。
【００３０】
即ち、図５の容器では、吸湿性樹脂層２３が、底壁基板２１の表面から筒状胴体１の内面にまで延びており、筒状空間Ａを形成する底壁５及び筒状胴体１の内面全体が、吸湿性樹脂層２３により形成され、筒状空間Ａの全体が吸湿面２３ａに面している。このような構造とすることにより、吸湿作用を最大限とすることができる。
尚、図５の容器は、上記のように吸湿性樹脂層２３が形成されている以外は、前述した図１乃至図４の容器と全く同じ構造を有している。
【００３１】
さらに、図示されていないが、図１乃至図５の容器では、蓋体３の頂板部の内面を、蓋体３を閉じたときに、板状製品５０の束の上端が形成する傾斜面５１に沿った傾斜面となるようにすることもでき、これにより、蓋体３を閉じた時のヘッドスペースを最小とすることができ、この容器の吸湿能を最大限に発揮させることができる。また、この場合には、蓋体３の外面形状を、蓋体３の内面形状に対応した傾斜形状とすることが好ましく、これにより、蓋体３を肉厚とせず、樹脂量を低減させ、コストの低減を図ることができる。
【００３２】
上述した本発明の容器は、板状製品の取り出しを容易に行うことができるばかりか、その吸湿能が極めて高く、且つ乾燥剤の消耗を効果的に防止し、高い吸湿能を長期間にわたって安定に発揮させることができ、従って、血糖値センサや尿試験紙などの湿分を嫌う板状製品の収容に有効に適用される。
【符号の説明】
【００３３】
１：筒状胴体
３：蓋体
５：底壁
２１：底壁基板
２３：吸湿性樹脂層
２３ａ：吸湿面
５０：板状製品
【図１】
2010173674.tif 000003
【図２】
2010173674.tif 000004
【図３】
2010173674.tif 000005
【図４】
2010173674.tif 000006
【図５】
2010173674.tif 000007